(57)【特許請求の範囲】
【請求項１】
（ａ）Ｅ−１，１，１，４，４，４−ヘキサフルオロ−２−ブテン、および
（ｂ）ギ酸メチル
を含む、共沸様組成物。
【請求項２】
（ａ）Ｅ−１，１，１，４，４，４−ヘキサフルオロ−２−ブテン、および
（ｂ）ｎ−ペンタン
を含む、共沸組成物。
【請求項３】
（ａ）Ｅ−１，１，１，４，４，４−ヘキサフルオロ−２−ブテン、および
（ｂ）ｎ−ペンタン
を含む、共沸様組成物。
【請求項４】
（ａ）Ｅ−１，１，１，４，４，４−ヘキサフルオロ−２−ブテン、および
（ｂ）２−メチルブタン
を含む、共沸組成物。
【請求項５】
（ａ）Ｅ−１，１，１，４，４，４−ヘキサフルオロ−２−ブテン、および
（ｂ）２−メチルブタン
を含む、共沸様組成物。
【請求項６】
（ａ）Ｅ−１，１，１，４，４，４−ヘキサフルオロ−２−ブテン、および
（ｂ）トランス−１，２−ジクロロエチレン
を含む、共沸様組成物。
【請求項７】
（ａ）Ｅ−１，１，１，４，４，４−ヘキサフルオロ−２−ブテン、および
（ｂ）１，１，１，３，３−ペンタフルオロプロパン
を含む、共沸様組成物。
【請求項８】
（ａ）Ｅ−１，１，１，４，４，４−ヘキサフルオロ−２−ブテン、および
（ｂ）ｎ−ブタン
を含む、共沸組成物。
【請求項９】
（ａ）Ｅ−１，１，１，４，４，４−ヘキサフルオロ−２−ブテン、および
（ｂ）ｎ−ブタン
を含む、共沸様組成物。
【請求項１０】
（ａ）Ｅ−１，１，１，４，４，４−ヘキサフルオロ−２−ブテン、および
（ｂ）イソブタン
を含む、共沸組成物。
【請求項１１】
（ａ）Ｅ−１，１，１，４，４，４−ヘキサフルオロ−２−ブテン、および
（ｂ）イソブタン
を含む、共沸様組成物。
【請求項１２】
共沸組成物または共沸様組成物を発泡剤として用いることを含む熱可塑性発泡体または熱硬化性発泡体を製造する方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１３】
共沸組成物または共沸様組成物を凝縮させ、その後冷却しようとする物体の付近で上記共沸組成物または共沸様組成物を蒸発させることを含む冷凍の生成方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１４】
共沸組成物または共沸様組成物を溶媒として用いることを含む方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１５】
共沸組成物または共沸様組成物を推進薬として用いることを含むエーロゾル製品を製造する方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１６】
共沸組成物または共沸様組成物を伝熱媒体として用いることを含む方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１７】
消火剤または火災抑制剤として共沸組成物または共沸様組成物を用いることを含む消火する方法または火災を抑制する方法であって、上記共沸組成物または共沸様組成物が、Ｅ−１，１，１，４，４，４−ヘキサフルオロ−２−ブテン、およびギ酸メチル、ｎ−ペン
タン、２−メチルブタン、トランス−１，２−ジクロロエチレン、１，１，１，３，３−ペンタフルオロプロパン、ｎ−ブタンおよびイソブタンからなる群から選択される成分を含む方法。
【請求項１８】
共沸組成物または共沸様組成物を誘電体として用いることを含む方法であって、上記共沸組成物または共沸様組成物が、Ｅ−１，１，１，４，４，４−ヘキサフルオロ−２−ブテン、およびギ酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分を含む方法。
【発明の詳細な説明】
【技術分野】
【０００１】
関連出願の相互参照
本願は、２００７年６月１２日出願の特許文献１および２、２００７年６月１８日出願の特許文献３、２００７年６月２８日出願の特許文献４、２００７年９月６日出願の特許文献５および６、ならびに２００７年９月１１日出願の特許文献７に基づく優先権を主張するものである。
【０００２】
本発明は、Ｅ−１，１，１，４，４，４−ヘキサフルオロ−２−ブテンの共沸組成物および共沸様組成物に関する。
【背景技術】
【０００３】
多くの産業は、オゾン破壊性のクロロフルオロカーボン（ＣＦＣ）およびヒドロクロロフルオロカーボン（ＨＣＦＣ）の代替品を見つけるために過去数十年にわたって研究してきた。ＣＦＣおよびＨＣＦＣは、エーロゾル噴射剤、冷媒、洗浄剤、熱可塑性発泡体および熱硬化性発泡体のための発泡剤、伝熱媒体、気体誘電体、消火剤および火災抑制剤、動力サイクル作動流体、重合媒体、微粒子除去流体、キャリア流体、バフ研磨剤および排除乾燥剤としての用途を含む広範な用途において用いられてきた。これらの万能化合物の代替品を求めて、多くの産業はヒドロフルオロカーボン（ＨＦＣ）の使用に頼ろうとするようになってきた。
【０００４】
ＨＦＣは成層圏オゾンの破壊の一因にならないが、「温室効果」に対する要因であるゆえに懸念されている。すなわち、ＨＦＣは地球温暖化の一因である。地球温暖化に対する要因の結果として、ＨＦＣは精査されなければならない。ＨＦＣの普及した使用も将来において制限されるかもしれない。従って、成層圏オゾンの破壊の一因にならないとともに低い地球温暖化係数（ＧＷＰ）も有する組成物が必要とされている。１，１，１，４，４，４−ヘキサフルオロ−２−ブテン（ＣＦ3ＣＨ＝ＣＨＣＦ3、ＦＣ−１３３６ｍｚｚ）などの特定のヒドロフルオロオレフィンは両方の目的を実現すると考えられる。
【先行技術文献】
【特許文献】
【０００５】
【特許文献１】米国特許出願第６０／９３４１９９号明細書
【特許文献２】米国特許出願第６０／９３４２０９号明細書
【特許文献３】米国特許出願第６０／９３６０８２号明細書
【特許文献４】米国特許出願第６０／９３７５９０号明細書
【特許文献５】米国特許出願第６０／９７０３８７号明細書
【特許文献６】米国特許出願第６０／９７０３８４号明細書
【特許文献７】米国特許出願第６０／９９３２４１号明細書
【発明の概要】
【課題を解決するための手段】
【０００６】
本願は異なる７つのタイプの共沸混合物または共沸様混合物を含む。
【０００７】
本開示は、（ａ）Ｅ−ＦＣ−１３３６ｍｚｚおよび（ｂ）蟻酸メチルから本質的になる組成物であって、蟻酸メチルがＥ−ＦＣ−１３３６ｍｚｚと共沸様混合物を形成するのに有効な量で存在する組成物を提供する。
【０００８】
本開示は、ａ）Ｅ−ＦＣ−１３３６ｍｚｚおよびｂ）ｎ−ペンタンから本質的になる組成物であって、ｎ−ペンタンがＥ−ＦＣ−１３３６ｍｚｚと共沸混合物または共沸様混合物を形成するのに有効な量で存在する組成物も提供する。
【０００９】
本開示は、（ａ）Ｅ−ＦＣ−１３３６ｍｚｚおよび（ｂ）２−メチルブタン（イソペンタン）から本質的になる組成物であって、イソペンタンがＥ−ＦＣ−１３３６ｍｚｚと共沸混合物または共沸様混合物を形成するのに有効な量で存在する組成物も提供する。
【００１０】
本開示は、（ａ）Ｅ−ＦＣ−１３３６ｍｚｚおよび（ｂ）トランス−１，２−ジクロロエチレンから本質的になる組成物であって、トランス−１，２−ジクロロエチレンがＥ−ＦＣ−１３３６ｍｚｚと共沸様混合物を形成するのに有効な量で存在する組成物も提供する。
【００１１】
本開示は、（ａ）Ｅ−ＦＣ−１３３６ｍｚｚおよび（ｂ）１，１，１，３，３−ペンタフルオロプロパン（ＣＦ3ＣＨ2ＣＦ2Ｈ、ＨＦＣ−２４５ｆａ）から本質的になる組成物であって、ＨＦＣ−２４５ｆａがＥ−ＦＣ−１３３６ｍｚｚと共沸様混合物を形成するのに有効な量で存在する組成物も提供する。
【００１２】
本開示は、（ａ）Ｅ−ＦＣ−１３３６ｍｚｚおよび（ｂ）ｎ−ブタンから本質的になる組成物であって、ｎ−ブタンがＥ−ＦＣ−１３３６ｍｚｚと共沸混合物または共沸様混合物を形成するのに有効な量で存在する組成物も提供する。
【００１３】
本開示は、（ａ）Ｅ−ＦＣ−１３３６ｍｚｚおよび（ｂ）２−メチル−プロパン（イソブタン）から本質的になる組成物であって、２−メチルプロパンがＥ−ＦＣ−１３３６ｍｚｚと共沸混合物または共沸様混合物を形成するのに有効な量で存在する組成物も提供する。
【図面の簡単な説明】
【００１４】
【図１】約２０．０℃の温度でＥ−ＦＣ−１３３６ｍｚｚおよび蟻酸メチルから本質的になる共沸様組成物のグラフ表示である。
【図２】約２０．０℃の温度でＥ−ＦＣ−１３３６ｍｚｚおよびｎ−ペンタンから本質的になる共沸組成物および共沸様組成物のグラフ表示である。
【図３】約２０．０℃の温度でＥ−ＦＣ−１３３６ｍｚｚおよびイソペンタンから本質的になる共沸組成物および共沸様組成物のグラフ表示である。
【図４】約２０．０℃の温度でＥ−ＦＣ−１３３６ｍｚｚおよびトランス−１，２−ジクロロエチレンから本質的になる共沸様組成物のグラフ表示である。
【図５】約２０．０℃の温度でＥ−ＦＣ−１３３６ｍｚｚおよびＨＦＣ−２４５ｆａから本質的になる共沸様組成物のグラフ表示である。
【図６】約２０．０℃の温度でＥ−ＦＣ−１３３６ｍｚｚおよびｎ−ブタンから本質的になる共沸組成物および共沸様組成物のグラフ表示である。
【図７】約２０．０℃の温度でＥ−ＦＣ−１３３６ｍｚｚおよびイソブタンから本質的になる共沸組成物および共沸様組成物のグラフ表示である。
【発明を実施するための形態】
【００１５】
多くの用途において、純粋の単一成分もしくは共沸混合物または共沸様混合物の使用は望ましい。例えば、発泡剤組成物（泡膨張剤または泡膨張組成物としても知られている）が、純粋の単一成分でも共沸混合物でも共沸様混合物でもない時、発泡剤組成物は発泡体形成プロセスにおいてその利用中に変化する場合がある。組成物のこうした変化は、加工に悪影響を及ぼし得るか、またはその用途において劣った性能を引き起こし得る。冷蔵用途においても、冷媒は、シャフトシール、ホース継手、はんだ継手および切れ線における漏れにより操作中にしばしば失われる。更に、冷媒は冷蔵装置に関する保守手順中に大気に放出され得る。冷媒が純粋の単一成分でも共沸組成物でも共沸様組成物でもない場合、冷蔵装置から大気に漏れるか排出される時に冷媒組成物は変化する場合がある。冷媒組成物の変化は、冷媒を可燃性になるようにさせる場合があるか、または劣った冷蔵性能を有すようにさせる場合がある。従って、これらの用途および他の用途において共沸混合物または共沸様混合物、例えば、Ｅ−１，１，１，４，４，４−ヘキサフルオロ−２−ブテン（Ｅ−ＣＦ3ＣＨ＝ＣＨＣＦ3、Ｅ−ＦＣ−１３３６ｍｚｚ）を含有する共沸混合物または共沸様混合物を使用することが必要とされている。
【００１６】
以下に記載された実施形態の詳細に対応する前に、幾つかの用語を定義するか、または明確化する。
【００１７】
ＦＣ−１３３６ｍｚｚは、２つの構造異性体、ＥまたはＺの１つとして存在する場合がある。本明細書において用いられるＦＣ−１３３６ｍｚｚは、異性体、Ｚ−ＦＣ−１３３６ｍｚｚまたはＥ−ＦＣ−１３３６ｍｚｚ、およびこうした異性体のあらゆる組み合わせまたは混合物を意味する。
【００１８】
本明細書で用いるとき、「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語またはそれらのあらゆる他の変形は、非排他的な包含を包含することを意図している。例えば、要素の一覧表を含むプロセス、方法、物品または装置はそれらの要素のみに必ずしも限定されずに、こうしたプロセス、方法、物品または装置に明示的に記載されていない他の要素も固有でない他の要素も含んでもよい。更に、相反する記載がない限り、「または」は、非排他的な「または」を意味し、排他的な「または」を意味しない。例えば、条件ＡまたはＢは、以下のいずれか１つによって満たされる。Ａが真（または存在する）かつＢが偽（または存在しない）、Ａが偽（または存在しない）かつＢが真（または存在する）およびＡとＢの両方が真（または存在する）。
【００１９】
単数形（「ａ」または「ａｎ」）の使用は、本明細書に記載された要素および成分を示すために用いられる。これは、単に便宜上および本発明の範囲の一般的意味を与えるために用いられるに過ぎない。この記載は、１つまたは少なくとも１つを含むように読むべきであり、単数が別段に意図されていることが明らかでない限り、単数は複数も含む。
【００２０】
特に定義がない限り、本明細書で用いられるすべての技術用語および科学用語は、本発明が属する当業者によって共通に理解されるのと同じ意味を有する。本明細書に記載された方法および材料に類似または等価の方法および材料を本発明の実施形態の実施または試験において使用できるが、適する方法および材料は以下で記載する。本明細書で記載されたすべての刊行物、特許出願、特許および他の参考文献は、特定の一節を引用するのでないかぎり、全体的に参照により援用する。矛盾が生じた場合、定義を含む本明細書が優先する。更に、材料、方法および実施例はあくまで例示であり、限定であることを意図していない。
【００２１】
Ｅ−ＦＣ−１３３６ｍｚｚは既知の化合物であり、その調製方法は、例えば、Ｄａｗｏｏｄｉら、Ｊｏｕｒｎａｌ  ｏｆ  ｔｈｅ  Ｃｈｅｍｉｃａｌ  Ｓｏｃｉｅｔｙ，Ｃｈｅｍｉｃａｌ  Ｃｏｍｍｕｎｉｃａｔｉｏｎｓ（１９８２年）、（１２）、６９６−８において開示されている。この参考文献は参照により本明細書に援用される。
【００２２】
本願はＥ−ＦＣ−１３３６ｍｚｚを含む共沸組成物または共沸様組成物を含む。
【００２３】
本発明の幾つかの実施形態において、組成物は（ａ）Ｅ−ＦＣ−１３３６ｍｚｚおよび（ｂ）蟻酸メチルから本質的になり、蟻酸メチルは、Ｅ−ＦＣ−１３３６ｍｚｚと共沸様混合物を形成するのに有効な量で存在する。
【００２４】
本発明の幾つかの実施形態において、組成物は（ａ）Ｅ−ＦＣ−１３３６ｍｚｚおよび（ｂ）ｎ−ペンタンから本質的になり、ｎ−ペンタンは、Ｅ−ＦＣ−１３３６ｍｚｚと共沸混合物または共沸様混合物を形成するのに有効な量で存在する。
【００２５】
本発明の幾つかの実施形態において、組成物は（ａ）Ｅ−ＦＣ−１３３６ｍｚｚおよび（ｂ）イソペンタンから本質的になり、イソペンタンは、Ｅ−ＦＣ−１３３６ｍｚｚと共沸混合物または共沸様混合物を形成するのに有効な量で存在する。
【００２６】
本発明の幾つかの実施形態において、組成物は（ａ）Ｅ−ＦＣ−１３３６ｍｚｚおよび（ｂ）トランス−１，２−ジクロロエチレンから本質的になり、トランス−１，２−ジクロロエチレンは、Ｅ−ＦＣ−１３３６ｍｚｚと共沸様混合物を形成するのに有効な量で存在する。
【００２７】
本発明の幾つかの実施形態において、組成物は（ａ）Ｅ−ＦＣ−１３３６ｍｚｚおよび（ｂ）ＨＦＣ−２４５ｆａから本質的になり、ＨＦＣ−２４５ｆａは、Ｅ−ＦＣ−１３３６ｍｚｚと共沸様混合物を形成するのに有効な量で存在する。
【００２８】
本発明の幾つかの実施形態において、組成物は（ａ）Ｅ−ＦＣ−１３３６ｍｚｚおよび（ｂ）ｎ−ブタンから本質的になり、ｎ−ブタンは、Ｅ−ＦＣ−１３３６ｍｚｚと共沸混合物または共沸様混合物を形成するのに有効な量で存在する。
【００２９】
本発明の幾つかの実施形態において、組成物は（ａ）Ｅ−ＦＣ−１３３６ｍｚｚおよび（ｂ）２−メチル−プロパン（イソブタン）から本質的になり、２−メチルプロパンは、Ｅ−ＦＣ−１３３６ｍｚｚと共沸混合物または共沸様混合物を形成するのに有効な量で存在する。
【００３０】
有効な量は、Ｅ−ＦＣ−１３３６ｍｚｚと組み合わされた時、共沸混合物または共沸様混合物の形成をもたらす量を意味する。この定義は、共沸組成物または共沸様組成物が様々な圧力であるが、可能な様々な沸点で存在し続ける限り、組成物に加えられた圧力に応じて異なる場合がある各成分の量を含む。従って、有効な量は、本明細書において記載された以外の温度または圧力で共沸組成物または共沸様組成物を形成する本発明の組成物の各成分の重量％またはモル％で表現され得るような量を含む。
【００３１】
当該技術分野において認められているように、共沸組成物は、所定の圧力下で液状である時に個々の成分の沸騰温度より高いか、または低い場合がある実質的に一定の温度で沸騰するとともに、沸騰する総合的な液体組成と本質的に同じ蒸気組成を提供する２種以上の異なる成分の混合物である（例えば、Ｍ．Ｆ．ＤｏｈｅｒｔｙおよびＭ．Ｆ．Ｍａｌｏｎｅ、Ｃｏｎｃｅｐｔｕａｌ  Ｄｅｓｉｇｎ  ｏｆ  Ｄｉｓｔｉｌｌａｔｉｏｎ  Ｓｙｓｔｅｍｓ、ＭｃＧｒａｗ−Ｈｉｌｌ（Ｎｅｗ  Ｙｏｒｋ）、２００１年、１８５−１８６、３５１−３５９を参照すること）。
【００３２】
従って、共沸組成物の本質的な特徴は、所定の圧力で液体組成物の沸点が固定されていることと、沸騰組成より上の蒸気の組成が、総合的な沸騰液体組成物の本質的に組成である（すなわち、液体組成物の成分の分留が起きない）ことである。共沸組成物の各成分の沸点と重量％の両方が、共沸組成物が様々な圧力で沸騰される時に変化する場合があることも当該技術分野において認められている。従って、共沸組成物は、成分間に存在する独特の関係の観点で、または成分の組成範囲の観点で、または指定圧力での固定沸点によって特徴付けられる組成物の各成分の厳密な重量％の観点で定義され得る。
【００３３】
本発明の目的において、共沸様組成物は、共沸組成物に似て挙動する組成物を意味する（すなわち、一定の沸騰特性を有するか、あるいは沸騰または蒸発すると分留しない傾向を有する）。従って、沸騰中または蒸発中に、蒸気組成および液体組成は、それらが仮に変化するとしても、最少程度または僅少程度に変化するだけである。これは、沸騰中または蒸発中に、蒸気組成または液体組成が実質的な程度に変化する非共沸様組成物とは異なる。
【００３４】
更に、共沸様組成物は、実質的に差圧を伴わない露点圧力および泡立ち点圧力を示す。すなわち、所定の温度での露点圧力および泡立ち点圧力の差は小さい値である。本発明において、（泡立ち点圧力を基準にして）５％未満または５％に等しい露点圧力と泡立ち点圧力の差を有する組成物は共沸様であるとみなされる。
【００３５】
系の相対揮発度が１．０に近づく時、系が共沸組成物または共沸様組成物を形成するとして定義されることは本分野において認められている。相対揮発度は成分１の揮発度対成分２の揮発度の比である。蒸気中の成分のモル分率対液体中の成分のモル分率の比は、成分の揮発度である。
【００３６】
任意の２つの化合物の相対揮発度を決定するために、ＰＴｘ法として知られている方法を用いることが可能である。この手順において、既知体積のセル中の合計絶対圧力を２種の化合物の種々の組成に関して一定温度で測定する。ＰＴｘ法の使用は、「Ｐｈａｓｅ  Ｅｑｕｉｌｉｂｒｉｕｍ  ｉｎ  Ｐｒｏｃｅｓｓ  Ｄｅｓｉｇｎ」、Ｗｉｌｅｙ−Ｉｎｔｅｒｓｃｉｅｎｃｅ  Ｐｕｂｌｉｓｈｅｒ、１９７０年、Ｈａｒｏｌｄ  Ｒ．Ｎｕｌｌ著、１２４〜１２６頁に詳しく記載されている。この参考文献は参照により本明細書に援用される。
【００３７】
これらの測定値は、液相の非理想性を表す非ランダム２液（ＮＲＴＬ）式などの活性係数式モデルを用いることによりＰＴｘセル中の平衡蒸気組成および平衡液組成に換算することが可能である。ＮＲＴＬ式などの活性係数式の使用は、「Ｔｈｅ  Ｐｒｏｐｅｒｔｉｅｓ  ｏｆ  Ｇａｓｅｓ  ａｎｄ  Ｌｉｑｕｉｄ」、第四版、ＭｃＧｒａｗ  Ｈｉｌｌによる出版、Ｒｅｉｄ、ＰｒａｕｓｎｉｔｚおよびＰｏｌｉｎｇ著、２４１−３８７頁および「Ｐｈａｓｅ  Ｅｑｕｉｌｉｂｒｉａ  ｉｎ  Ｃｈｅｍｉｃａｌ  Ｅｎｇｉｎｅｅｒｉｎｇ」、Ｂｕｔｔｅｒｗｏｒｔｈ  Ｐｕｂｌｉｓｈｅｒｓによる出版、１９８５年、Ｓｔａｎｌｅｙ  Ｍ．Ｗａｌａｓ著、１６５−２４４頁に詳しく記載されている。前述した両方の参考文献は参照により本明細書に援用される。あらゆる理論または説明に拘束されることを望まずに、ＰＴｘセルデータと合わせたＮＲＴＬ式が、本発明のＥ−１，１，１，４，４，４−ヘキサフルオロ−２−ブテン含有組成物の相対揮発度を十分に予想することが可能であり、従って、蒸留塔などの多段分離装置中のこれらの混合物の挙動を予想することが可能であると考えられる。
【００３８】
Ｅ−ＦＣ−１３３６ｍｚｚおよびｎ−ペンタンが共沸組成物または共沸様組成物を形成することが実験を通して見出された。
【００３９】
この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００４０】
Ｅ−ＦＣ−１３３６ｍｚｚ／ｎ−ペンタン混合物に関するＰＴｘセル中の組成に対する測定された蒸気圧を図２に示している。図２は、この温度で組成の範囲にわたって最高圧力を有するＥ−１，１，１，４，４，４−ヘキサフルオロ−２−ブテン約８４．６モル％とｎ−ペンタン１５．４モル％の混合物によって示されるようにＥ−ＦＣ−１３３６ｍｚｚおよびｎ−ペンタンから本質的になる共沸組成物および共沸様組成物の形成をグラフで例示している。これらの結果に基づいて、Ｅ−ＦＣ−１３３６ｍｚｚおよびｎ−ペンタンが、（約−２０℃〜約８０℃の温度および約４．５ｐｓｉａ（３１ｋＰａ）〜約１３９ｐｓｉａ（９５１ｋＰａ）の圧力で沸騰する共沸組成物を形成する）約８２．２モル％〜約９５．３モル％のＥ−ＦＣ−１３３６ｍｚｚおよび約１７．８モル％〜約４．７モル％のｎ−ペンタンの範囲の共沸組成物を形成することが計算された。共沸組成物の幾つかの実施形態を表１に記載している。
【００４１】
【表１】
0005460586.tif 000002
【００４２】
更に、Ｅ−ＦＣ−１３３６ｍｚｚおよびｎ−ペンタンを含有する共沸様組成物も形成してもよい。こうした共沸様組成物は共沸組成物近くに存在する。共沸様組成物の幾つかの実施形態を表２に記載している。共沸様組成物の追加の実施形態を表３に記載している。
【００４３】
【表２】
0005460586.tif 000003
【００４４】
【表３】
0005460586.tif 000004
【００４５】
Ｅ−ＦＣ−１３３６ｍｚｚおよび蟻酸メチルが共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００４６】
Ｅ−ＦＣ−１３３６ｍｚｚ／蟻酸メチル混合物に関するＰＴｘセル中の組成に対する測定された蒸気圧を図１に示している。図１は、Ｅ−１，１，１，４，４，４−ヘキサフルオロ−２−ブテン約８３モル％〜約９９モル％と蟻酸メチル約１７モル％〜約１モル％の混合物によって示されるように２０．０℃でＥ−１，１，１，４，４，４−ヘキサフルオロ−２−ブテンおよび蟻酸メチルから本質的になる共沸様組成物の形成をグラフで例示している。
【００４７】
共沸様組成物の幾つかの実施形態を表４に記載している。共沸様組成物の追加の実施形態を表５に記載している。
【００４８】
【表４】
0005460586.tif 000005
【００４９】
【表５】
0005460586.tif 000006
【００５０】
Ｅ−ＦＣ−１３３６ｍｚｚおよびイソペンタンが共沸組成物または共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００５１】
Ｅ−ＦＣ−１３３６ｍｚｚ／イソペンタン混合物に関するＰＴｘセル中の組成に対する測定された蒸気圧を図３に示している。図３は、この温度で組成の範囲にわたって最高圧力を有するＥ−１，１，１，４，４，４−ヘキサフルオロ−２−ブテン約７７．２モル％とイソペンタン２２．８モル％の混合物によって示されるように２０．０℃でＥ−１，１，１，４，４，４−ヘキサフルオロ−２−ブテンおよびイソペンタンの共沸組成物および共沸様組成物の形成をグラフで例示している。
【００５２】
これらの結果に基づいて、Ｅ−ＦＣ−１３３６ｍｚｚおよびイソペンタンが、（約−４０℃〜約１００℃の温度および約１．６ｐｓｉａ（１１ｋＰａ）〜約２１８ｐｓｉａ（１５０３ｋＰａ）の圧力で沸騰する共沸組成物を形成する）約７５．１モル％〜約９５．４モル％のＥ−ＦＣ−１３３６ｍｚｚおよび約２４．９モル％〜約４．６モル％のイソペンタンの範囲の共沸組成物を形成することが計算された。共沸組成物の幾つかの実施形態を表６に記載している。
【００５３】
【表６】
0005460586.tif 000007
【００５４】
更に、Ｅ−ＦＣ−１３３６ｍｚｚおよびイソペンタンを含有する共沸様組成物も形成してよい。こうした共沸様組成物は共沸組成物近くに存在する。共沸様組成物の幾つかの実施形態を表７に記載している。共沸様組成物の追加の実施形態を表８に記載している。
【００５５】
【表７】
0005460586.tif 000008
【００５６】
【表８】
0005460586.tif 000009
【００５７】
Ｅ−ＦＣ−１３３６ｍｚｚおよびトランス−１，２−ジクロロエチレンが共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００５８】
Ｅ−ＦＣ−１３３６ｍｚｚ／トランス−１，２−ジクロロエチレン混合物に関するＰＴｘセル中の組成に対する測定された蒸気圧を図４に示している。図４は、Ｅ−ＦＣ−１３３６ｍｚｚ約８４モル％〜約９９モル％とトランス−１，２−ジクロロエチレン約１６モル％〜約１モル％を含む混合物によって示されるように２０．０℃でＥ−１，１，１，４，４，４−ヘキサフルオロ−２−ブテンおよびトランス−１，２−ジクロロエチレンの共沸様組成物の形成をグラフで例示している。
【００５９】
共沸様組成物の幾つかの実施形態を表９に記載している。共沸様組成物の追加の実施形態を表１０に記載している。
【００６０】
【表９】
0005460586.tif 000010
【００６１】
【表１０】
0005460586.tif 000011
【００６２】
Ｅ−ＦＣ−１３３６ｍｚｚおよびＨＦＣ−２４５ｆａが共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００６３】
Ｅ−ＦＣ−１３３６ｍｚｚ／ＨＦＣ−２４５ｆａ混合物に関するＰＴｘセル中の組成に対する測定された蒸気圧を図５に示している。図５は、Ｅ−１，１，１，４，４，４−ヘキサフルオロ−２−ブテン約１モル％〜約９９モル％とＨＦＣ−２４５ｆａ約９９モル％〜約１モル％の混合物によって示されるように２０．０℃でＥ−１，１，１，４，４，４−ヘキサフルオロ−２−ブテンおよびＨＦＣ−２４５ｆａの共沸様組成物の形成をグラフで例示している。
【００６４】
共沸様組成物の幾つかの実施形態を表１１に記載している。共沸様組成物の追加の実施形態を表１２に記載している。
【００６５】
【表１１】
0005460586.tif 000012
【００６６】
【表１２】
0005460586.tif 000013
【００６７】
Ｅ−ＦＣ−１３３６ｍｚｚおよびｎ−ブタンが共沸組成物または共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００６８】
Ｅ−ＦＣ−１３３６ｍｚｚ／ｎ−ブタン混合物に関するＰＴｘセル中の組成に対する測定された蒸気圧を図６に示している。図６は、この温度で組成の範囲にわたって最高圧力を有するＥ−１，１，１，４，４，４−ヘキサフルオロ−２−ブテン約３８．１モル％とｎ−ブタン６１．９モル％の混合物によって示されるように２０．０℃でＥ−１，１，１，４，４，４−ヘキサフルオロ−２−ブテンおよびシクロペンタンの共沸組成物の形成をグラフで例示している。
【００６９】
これらの結果に基づいて、Ｅ−ＦＣ−１３３６ｍｚｚおよびｎ−ブタンが、（約−４０℃〜約１００℃の温度および約３．０ｐｓｉａ（２１ｋＰａ）〜約２７７ｐｓｉａ（１９１０ｋＰａ）の圧力で沸騰する共沸組成物を形成する）約２９．５モル％〜約４７．２モル％のＥ−ＦＣ−１３３６ｍｚｚおよび約７０．５モル％〜約５２．８モル％のｎ−ブタンの範囲の共沸組成物を形成することが計算された。共沸組成物の幾つかの実施形態を表１３に記載している。
【００７０】
【表１３】
0005460586.tif 000014
【００７１】
更に、Ｅ−ＦＣ−１３３６ｍｚｚおよびｎ−ブタンを含有する共沸様組成物も形成してよい。こうした共沸様組成物は共沸組成物近くに存在する。共沸様組成物の幾つかの実施形態を表１４に記載している。共沸様組成物の追加の実施形態を表１５に記載している。
【００７２】
【表１４】
0005460586.tif 000015
【００７３】
【表１５】
0005460586.tif 000016
【００７４】
Ｅ−ＦＣ−１３３６ｍｚｚおよびイソブタンが共沸組成物または共沸様組成物を形成することが実験を通して見出された。この二成分対の相対揮発度を決定するために、上述したＰＴｘ法を用いた。既知の体積のＰＴｘセル中の合計絶対圧力を種々の二成分組成物に関して一定温度で測定した。その後、ＮＲＴＬ式を用いて、これらの測定値をセル中の平衡蒸気組成および平衡液体組成に換算した。
【００７５】
Ｅ−ＦＣ−１３３６ｍｚｚ／イソブタン混合物に関するＰＴｘセル中の組成に対する測定された蒸気圧を図７に示している。図７は、この温度で組成の範囲にわたって最高圧力を有するＥ−１，１，１，４，４，４−ヘキサフルオロ−２−ブテン約２４．９モル％とイソブタン７５．１モル％の混合物によって示されるように２０．０℃でＥ−１，１，１，４，４，４−ヘキサフルオロ−２−ブテンおよびシクロペンタンの共沸組成物の形成をグラフで例示している。
【００７６】
これらの結果に基づいて、Ｅ−ＦＣ−１３３６ｍｚｚおよびイソブタンが、（約−４０℃〜約８０℃の温度および約４．５ｐｓｉａ（３１ｋＰａ）〜約２１８ｐｓｉａ（１５０３ｋＰａ）の圧力で沸騰する共沸組成物を形成する）約１９．４モル％〜約３２．４モル％のＥ−ＦＣ−１３３６ｍｚｚおよび約８０．６モル％〜約６７．６モル％のイソブタンの範囲の共沸組成物を形成することが計算された。共沸組成物の幾つかの実施形態を表１６に記載している。
【００７７】
【表１６】
0005460586.tif 000017
【００７８】
更に、Ｅ−ＦＣ−１３３６ｍｚｚおよびイソブタンを含有する共沸様組成物も形成してよい。こうした共沸様組成物は共沸組成物近くに存在する。共沸様組成物の幾つかの実施形態を表１７に記載している。共沸様組成物の追加の実施形態を表１８に記載している。
【００７９】
【表１７】
0005460586.tif 000018
【００８０】
【表１８】
0005460586.tif 000019
【００８１】
本発明の共沸組成物または共沸様組成物は、所望の量を混合するか、または組み合わせることを含む便利な任意の方法によって調製することが可能である。本発明の一実施形態において、共沸組成物または共沸様組成物は、所望の成分量を秤量し、その後、適切な容器内で所望の成分量を組み合わせることにより調製することが可能である。
【００８２】
本発明の共沸組成物または共沸様組成物は、エーロゾル噴射剤、冷媒、溶媒、洗浄剤、熱可塑性発泡体および熱硬化性発泡体のための発泡剤（泡膨張剤）、伝熱媒体、気体誘電体、消火剤および火災抑制剤、動力サイクル作動流体、重合媒体、微粒子除去流体、キャリア流体、バフ研磨剤および排除乾燥剤としての用途を含む広範な用途において用いることが可能である。
【００８３】
本発明の一実施形態は、熱可塑性発泡体または熱硬化性発泡体を調製する方法を提供する。本方法は、共沸組成物または共沸様組成物を発泡剤として用いることを含む。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８４】
本発明の別の実施形態は冷蔵方法を提供する。本方法は、共沸組成物または共沸様組成物を凝縮させ、その後、冷却されるべき物体の付近で前記共沸組成物または共沸様組成物を蒸発させることを含む。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８５】
本発明の別の実施形態は、共沸組成物または共沸様組成物を溶媒として用いる方法を提供する。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８６】
本発明の別の実施形態は、エーロゾル製品を製造する方法を提供する。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８７】
本発明の別の実施形態は、共沸組成物または共沸様組成物を伝熱媒体として用いる方法を提供する。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８８】
本発明の別の実施形態は、消火する方法または火災を抑制する方法を提供する。本方法は、共沸様組成物または共沸様組成物を消火剤または火災抑制剤として用いることを含む。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【００８９】
本発明の別の実施形態は、共沸組成物または共沸様組成物を誘電体として用いる方法を提供する。前記共沸組成物または共沸様組成物は、Ｅ−１，１，１，４，４，４−ヘキサフルオロ−２−ブテン、および蟻酸メチル、ｎ−ペンタン、２−メチルブタン、トランス−１，２−ジクロロエチレン、１，１，１，３，３−ペンタフルオロプロパン、ｎ−ブタンおよびイソブタンからなる群から選択される成分から本質的になる。
【図１】
0005460586.tif 000020
【図２】
0005460586.tif 000021
【図３】
0005460586.tif 000022
【図４】
0005460586.tif 000023
【図５】
0005460586.tif 000024
【図６】
0005460586.tif 000025
【図７】
0005460586.tif 000026